(57)【特許請求の範囲】
【請求項１】
発熱手段に連通している蓄熱槽（１０）と、その蓄熱槽（１０）に連通している補助熱源手段（２０）と、熱的負荷と連通している熱的負荷用熱交換器（１６）と、前記補助熱源手段（２０）および前記熱的負荷用熱交換器（１６）と連通している給湯用機器（１２）と、それらの機器（１０、１２、１６、２０）を連通する温水ラインと、その温水ラインに設けられて蓄熱槽（１０）から供給される温水を流過せしめる温水循環手段（１８）とを有する温水供給装置において、蓄熱槽（１０）から流出する温水が流過する温水ライン（Ｌ１０）は、第１の分岐点（Ｂ１）で補助熱源手段（２０）が介装されるライン（Ｌ１２）と、補助熱源手段（２０）をバイパスするライン（Ｌ１１）とに分岐し、補助熱源手段（２０）が介装されるライン（Ｌ１２）の第１の分岐点（Ｂ１）と第１の合流点（Ｇ１）との間の領域には第１の開閉弁（Ｖ１）が介装され、補助熱源手段（２０）をバイパスするライン（Ｌ１１）は第２の分岐点（Ｂ２）で給湯用機器（１２）側に連通するライン（Ｌ１３）と熱的負荷用熱交換器（１６）側に連通するライン（Ｌ１４）とに分岐し、第２の分岐点（Ｂ２）から給湯用機器（１２）側に連通するライン（Ｌ１３）には第２の開閉弁（Ｖ２）が介装され、第２の分岐点（Ｂ２）から熱的負荷用熱交換器（１６）側に連通するライン（Ｌ１４）には第３の開閉弁（Ｖ３）が介装され、補助熱源手段（２０）が介装されるライン（Ｌ１２）は第３の分岐点（Ｂ３）で給湯用機器（１２）側に連通するライン（Ｌ１５）と熱的負荷用熱交換器（１６）側に連通するライン（Ｌ１６）とに分岐し、第３の分岐点（Ｂ３）から給湯用機器（１２）側に連通するライン（Ｌ１５）には第４の開閉弁（Ｖ４）が介装されており、第３の分岐点（Ｂ３）から熱的負荷用熱交換器（１６）側に連通するライン（Ｌ１６）には第５の開閉弁（Ｖ５）が介装されており、第２の分岐点（Ｂ２）から給湯用機器（１２）側に連通するライン（Ｌ１３）と第３の分岐点（Ｂ３）から給湯用機器（１２）側に連通するライン（Ｌ１５）とは第２の合流点（Ｇ２）で合流して給湯用機器（１２）に連通するライン（Ｌ１７）となり、第２の分岐点（Ｂ２）から熱的負荷用熱交換器（１６）側に連通するライン（Ｌ１４）と第３の分岐点（Ｂ３）から熱的負荷用熱交換器（１６）側に連通するライン（Ｌ１６）とは第３の合流点（Ｇ３）で合流して熱的負荷用熱交換器（１６）が介装されるライン（Ｌ１８）となり、熱的負荷用熱交換器（１６）が介装されるライン（Ｌ１８）は第４の分岐点（Ｂ４）で蓄熱槽（１０）に連通するライン（Ｌ１９）と補助熱源手段（２０）側に連通するライン（Ｌ２０）とに分岐しており、第４の分岐点（Ｂ４）から蓄熱槽（１０）に連通するライン（Ｌ１９）には第６の開閉弁（Ｖ６）が介装されており、第４の分岐点（Ｂ４）から補助熱源手段（２０）側に連通するライン（Ｌ２０）は、前記第１の合流点（Ｇ１）で第１の分岐点（Ｂ１）から補助熱源手段（２０）に連通するライン（Ｌ１２）と合流すると共に、第７の開閉弁（Ｖ７）及び逆止弁（Ｖ８）が介装されていることを特徴とする温水供給装置。
【発明の詳細な説明】
【０００１】
【発明の属する技術分野】
コージェネレーションシステムの燃焼機関、燃料電池、その他の発熱機関等の発熱手段から供給された温水を蓄熱槽に蓄えて、給湯や暖房に使用する温水供給装置に関する。
【０００２】
【従来の技術】
図１５に示す従来の温水供給装置では、外部の発熱手段から供給された温水を蓄える蓄熱槽Ａ１０と、この温水を給湯用機器Ａ１２へ供給するに際して温水をさらに加熱する第１の補助熱源装置Ａ２０と、暖房用等に使用される熱媒に熱量を与える熱交換器Ａ１６と、熱交換器Ａ１６で昇温された熱媒をさらに加熱する第２の補助熱源装置Ａ２０と、これらの各装置を連通する配管とで主要部が構成されている。
蓄熱槽Ａ１０に蓄えられた温水は、一方は温水として給湯用機器Ａ１２に供給され、他方は熱交換器Ａ１６を介して暖房等Ａ１４の熱媒に熱量を供給して蓄熱槽Ａ１０に回収されるようになっている。
配管径路としては、蓄熱槽Ａ１０上部に接続される温水ラインＡＬ１０に分岐点ＡＢ１が設けられ、分岐点ＡＢ１からの一方が給湯系統のラインＡＬ１２Ａとなって補助熱源装置Ａ２０を介して給湯用機器Ａ１２に連通され、分岐点ＡＢ１からの他方が暖房系統のラインＡＬ１６となって熱交換器Ａ１６、ラインＡＬ１８、温水循環手段Ａ１８、ラインＡＬ１９を介して蓄熱槽Ａ１０に回帰するよう構成されている。
上記配管径路構成において、給湯用機器Ａ１２への温水は第１の補助熱源装置Ａ２０を通過して加熱され、暖房側機器Ａ１４の熱媒は熱媒ラインＡＬｈによって熱交換器Ａ１６から受熱後に第２の補助熱源装置Ａ３０を通過してさらに加熱されるようになっている。
【０００３】
このような、給湯系統と暖房系統のそれぞれに補助熱源装置Ａ２０、Ａ３０を設ける従来の構成では、２つの補助熱源装置Ａ２０、Ａ３０のための設置空間、設置コスト、保全コストを要するとともに、温水を加熱する必要がなくても補助熱源装置Ａ２０、Ａ３０が常時作動することによる無駄な放熱があった。
【０００４】
【発明が解決しようとする課題】
本発明は上述した従来技術の問題点に鑑みて提案されたものであり、補助熱源を１基のみ設置すれば足り、蓄熱槽に十分な熱量が貯えられている場合には補助熱源を通過しない様に構成された温水供給装置の提供を目的としている。
【０００５】
【課題を解決するための手段】
本発明によれば、  発熱手段に連通している蓄熱槽（１０）と、その蓄熱槽（１０）に連通している補助熱源手段（２０）と、熱的負荷と連通している熱的負荷用熱交換器（１６）と、前記補助熱源手段（２０）および前記熱的負荷用熱交換器（１６）と連通している給湯用機器（１２）と、それらの機器（１０、１２、１６、２０）を連通する温水ラインと、その温水ラインに設けられて蓄熱槽（１０）から供給される温水を流過せしめる温水循環手段（１８）とを有する温水供給装置において、蓄熱槽（１０）から流出する温水が流過する温水ライン（Ｌ１０）は、第１の分岐点（Ｂ１）で補助熱源手段（２０）が介装されるライン（Ｌ１２）と、補助熱源手段（２０）をバイパスするライン（Ｌ１１）とに分岐し、補助熱源手段（２０）が介装されるライン（Ｌ１２）の第１の分岐点（Ｂ１）と第１の合流点（Ｇ１）との間の領域には第１の開閉弁（Ｖ１）が介装され、補助熱源手段（２０）をバイパスするライン（Ｌ１１）は第２の分岐点（Ｂ２）で給湯用機器（１２）側に連通するライン（Ｌ１３）と熱的負荷用熱交換器（１６）側に連通するライン（Ｌ１４）とに分岐し、第２の分岐点（Ｂ２）から給湯用機器（１２）側に連通するライン（Ｌ１３）には第２の開閉弁（Ｖ２）が介装され、第２の分岐点（Ｂ２）から熱的負荷用熱交換器（１６）側に連通するライン（Ｌ１４）には第３の開閉弁（Ｖ３）が介装され、補助熱源手段（２０）が介装されるライン（Ｌ１２）は第３の分岐点（Ｂ３）で給湯用機器（１２）側に連通するライン（Ｌ１５）と熱的負荷用熱交換器（１６）側に連通するライン（Ｌ１６）とに分岐し、第３の分岐点（Ｂ３）から給湯用機器（１２）側に連通するライン（Ｌ１５）には第４の開閉弁（Ｖ４）が介装されており、第３の分岐点（Ｂ３）から熱的負荷用熱交換器（１６）側に連通するライン（Ｌ１６）には第５の開閉弁（Ｖ５）が介装されており、第２の分岐点（Ｂ２）から給湯用機器（１２）側に連通するライン（Ｌ１３）と第３の分岐点（Ｂ３）から給湯用機器（１２）側に連通するライン（Ｌ１５）とは第２の合流点（Ｇ２）で合流して給湯用機器（１２）に連通するライン（Ｌ１７）となり、第２の分岐点（Ｂ２）から熱的負荷用熱交換器（１６）側に連通するライン（Ｌ１４）と第３の分岐点（Ｂ３）から熱的負荷用熱交換器（１６）側に連通するライン（Ｌ１６）とは第３の合流点（Ｇ３）で合流して熱的負荷用熱交換器（１６）が介装されるライン（Ｌ１８）となり、熱的負荷用熱交換器（１６）が介装されるライン（Ｌ１８）は第４の分岐点（Ｂ４）で蓄熱槽（１０）に連通するライン（Ｌ１９）と補助熱源手段（２０）側に連通するライン（Ｌ２０）とに分岐しており、第４の分岐点（Ｂ４）から蓄熱槽（１０）に連通するライン（Ｌ１９）には第６の開閉弁（Ｖ６）が介装されており、第４の分岐点（Ｂ４）から補助熱源手段（２０）側に連通するライン（Ｌ２０）は、前記第１の合流点（Ｇ１）で第１の分岐点（Ｂ１）から補助熱源手段（２０）に連通するライン（Ｌ１２）と合流すると共に、第７の開閉弁（Ｖ７）及び逆止弁（Ｖ８）が介装されている。
【０００９】
上記構成によって、補助熱源手段（２０）が１基だけで給湯及び暖房用熱量の供給をできる。さらに開閉弁の操作によって、給湯及び暖房用熱量の必要供給条件に応じた配管径路にして補助熱源手段を無駄なく利用する。また、上記構成の装置等にセンサを設け、開閉弁（Ｖ１〜Ｖ７）を自動制御させるようにすれば、オペレータからの入力による任意の運転モード選択で自動運転できる。
【００１０】
【発明の実施の形態】
以下、図１から図１４を参照して、本発明の実施形態について説明する。
【００１１】
先ず、図１を参照して、本発明の第１実施形態を説明する。
図１において、コージェネレーションシステムの燃焼機関、燃料電池、その他の発熱機関（図示せず）は、蓄熱槽１０に連通している。そして、蓄熱槽１０内部の温水が保有する熱量を有効にするべく、温水ラインＬ１０により蓄熱槽１０外に供給される。
【００１２】
温水ラインＬ１０は、例えばガスバーナ等で構成される補助熱源手段２０を経由して、分岐点Ｂ３にて、給湯用機器側の温水ラインＬ１７と熱的負荷用熱交換器側の温水ラインＬ１６とに分岐する。
温水ラインＬ１７は、給湯用機器１２（図面では符号のみ表示する）に連通する。
一方、温水ラインＬ１６は熱的負荷用熱交換器１６を通過して、ラインＬ１８を流過し且つそこに介装された温水循環手段１８によりヘッドを付加され、温水ラインＬ１９（温水戻りライン）を介して蓄熱槽１０に戻される。
【００１３】
ここで、熱交換器１６は、図示しない熱媒ラインを介して、暖房等１４（図１〜図３では図示せず：熱的負荷）と熱的に連通している。
また、温水循環手段１８は、例えばポンプの様な流体機器により構成されており、図１で示す温水回路、すなわち、蓄熱槽１０、補助熱源手段２０、熱交換器１６、温水ラインＬ１０、Ｌ１６、Ｌ１８、Ｌ１９により構成される回路において、温水を流過せしめる作用を奏する。
【００１４】
図１の実施形態において、蓄熱槽１０内の温水の温度が十分に高い場合には、補助熱源手段２０で補助加熱すること無く、温水をそのまま給湯用機器１２或いは熱交換器１６に供給して、利用する。
これに対して、蓄熱槽１０内の温水温度が比較的低温である場合には、ラインＬ１０を流過する温水は、補助熱源手段２０を通過する際に加熱されて、昇温する。
【００１５】
図１において、温水を給湯用機器１２でのみ利用する場合は、温水循環手段１８を停止した状態で、給湯用機器１２側の開閉手段（例えば蛇口：図示せず）を開放すればよい。
一方、図１において、温水の保有する熱量を熱交換器１６でのみ利用する場合は、給湯用機器１２側の開閉手段を閉鎖した状態で、温水循環手段１８を駆動すればよい。
そして、給湯用機器１２及び熱的負荷用熱交換器１６の双方で温水を利用する場合には、給湯用機器１２側の開閉手段を開放しつつ、温水循環手段１８を駆動すればよい。
なお、給湯用機器１２側の開閉手段を閉鎖し、且つ、温水循環手段１８を停止すれば、蓄熱槽１０内の温水は、図１の温水回路内を流過しない。
【００１６】
次に、図２及び図３を参照して、本発明の第２実施形態を説明する。
図２及び図３において、温水ラインＬ１８は、循環手段１８と蓄熱槽１０の間の分岐点Ｂ４で、蓄熱槽１０に連通する温水ラインＬ１９と、分岐ラインＬ２０とに分岐している。
【００１７】
分岐ライン（或いはバイパスライン）Ｌ２０は、分岐点Ｂ４と、蓄熱槽１０と補助熱源手段２０との間の領域の合流点Ｇ１とを連通している。ここで、蓄熱槽１０と補助熱源手段２０とを連通する温水ラインは、合流点Ｇ１から蓄熱槽１０側が符号「Ｌ１０」で示され、合流点Ｇ１から補助熱源手段２０側が符号「Ｌ１２」で示される。
分岐ラインＬ２０には逆止弁Ｖ８が介装されている。この分岐ラインＬ２０を設けることにより、ラインＬ１８を流れる温水の温度が低い場合や、蓄熱槽内の温度が低い場合等では、蓄熱槽１０をバイパスして、補助熱源手段２０による加熱のみで、給湯用機器１２或いは熱交換器１６による熱量の需要を賄うようにすることが出来る。
【００１８】
ここで、熱交換器１６を通過した温水を、蓄熱槽１０に連通する戻りラインＬ１９側に流すか、或いは、バイパスラインＬ２０に流過せしめるかについては、図２で示す様に、ラインＬ１９に介装した開閉弁Ｖ６と、バイパスラインＬ２０に介装した開閉弁Ｖ７とを開閉制御することにより、選択することが可能である。
すなわち、温水を戻りラインＬ１９に流す場合は、弁Ｖ６を開放し、弁Ｖ７を閉鎖する。一方、温水をバイパスラインＬ２０に流す場合は、弁Ｖ６を閉鎖し、弁Ｖ７を開放すれば良い。
【００１９】
或いは、図３で示すように、分岐点Ｂ４に三方弁Ｖ３０を設け、三方弁Ｖ３０の開閉制御により、温水を戻りラインＬ１９側（蓄熱槽１０側）に流すか、或いは、バイパスラインＬ２０に流過せしめるかを選択することが出来る。
【００２０】
図２及び図３で示す第３実施形態におけるその他の構成及び作用効果は、図１の実施形態と同様である。
また、図２と図３とは、２つの開閉弁Ｖ６，Ｖ７を設けるか（図２）、三方弁Ｖ３０を設けるか（図３）の相違を除き、構成及び作用効果は同様である。
【００２１】
以下、図４〜図１４を参照して、本発明の第３実施形態を説明する。
本発明の全体構成を示す図４において、例えば、コージェネレーションシステムの燃焼機関、燃料電池、その他の発熱機関等の図示しない熱源には、その熱源から供給される温水を蓄える蓄熱槽１０が連通されている。
【００２２】
この蓄熱槽１０に、温水を使用する給湯用機器の給湯装置１２が後記する温水回路によって連通され、温水の熱量を使用する熱的負荷の暖房装置１４が蓄熱槽１０側に回帰する後記の温水回路に設けられた熱的負荷用熱交換器１６を介して熱的に連通されている。
給湯装置１２に通じる温水回路と、暖房装置１４に通じる温水回路とは、補助熱源手段である補助熱源装置２０を介するラインで共通して構成されている。
【００２３】
以下、上記各装置を含む温水回路について説明する。
蓄熱槽１０の端部１０ａに温水が流出する温水ラインＬ１０が連通され、ラインＬ１０は第１の分岐点Ｂ１でラインＬ１１とラインＬ１２に分岐されている。
その一方のラインＬ１２は、第１の開閉弁Ｖ１に連通され、第１の開閉弁Ｖ１にはラインＬ１２の１部であるラインＬ１２Ａが連通されている。ラインＬ１２Ａは、第１の合流点Ｇ１を経て、さらに補助熱源装置２０を介して第３の分岐点Ｂ３に連通されている。熱源装置２０は、図示ではガス燃焼器となっているが、電熱その他でもよい。
【００２４】
第３の分岐点Ｂ３で２分された一方は、ラインＬ１５となって第４の開閉弁Ｖ４を介して第２の合流点Ｇ２に連通され、ここからラインＬ１７によって給湯装置１２に連通されている。
第１の分岐点Ｂ１で分岐された他方のラインＬ１１は、分岐点Ｂ２を経て第２の開閉弁Ｖ２に連通され、第２の開閉弁Ｖ２からラインＬ１３によって前記第２の合流点Ｇ２に連通されている。
【００２５】
前記第３の分岐点Ｂ３で分岐された他方は、ラインＬ１６となって第５の開閉弁Ｖ５を介して合流点Ｇ３に連通され、第２の分岐点Ｂ２から分岐し第３の開閉弁Ｖ３を介したラインＬ１４と合流して、ラインＬ１８となって熱的負荷用熱交換器（以降、熱交換器と略記する。）１６を介装する。
熱交換器１６を経たラインＬ１８は、熱交換器１６を通過する温水を循環させるための温水循環手段であるポンプ１８を介して、第４の分岐点Ｂ４に連通されている。
【００２６】
第４の分岐点Ｂ４で２分されたラインＬ１８の一方は、ラインＬ２０となって第７の開閉弁Ｖ７及び逆止弁Ｖ８を介して、蓄熱槽１０をバイパスする要領で、前記合流点Ｇ１に連通されている。
第４の分岐点Ｂ４で２分されたラインＬ１８の他方は、ラインＬ１９となって第６の開閉弁Ｖ６を介して蓄熱槽１０の端部１０ｂに連通されている。
【００２７】
前記配管ライン構成において、ラインＬ１０、ラインＬ１２及び補助熱源装置２０を連通するラインＬ１２Ａ、ラインＬ１１が、給湯用温水ラインと暖房用温水ラインの共通ラインとなっている。
【００２８】
前記熱交換器１６に、暖房装置１４に連通するラインＬｈが熱的に接触している。熱的接触の方法は、図示の例では、回流する温水の低温側に熱媒Ｗｗの入り口１５ｉが取り付けられ、高温側に出口１５ｏが取り付けられる向流型に配置されている。符号１４Ａは、暖房用熱媒Ｗｗを循環させるポンプである。
【００２９】
上記構成の温水供給装置の作用を、図５〜図１２によって説明する。
図５は、補助熱源装置２０を使用して蓄熱槽１０からの温水を加熱昇温させてから、暖房及び給湯を行う場合の状態を示す図で、図４も参照して、第２の開閉弁Ｖ２と第３の開閉弁Ｖ３と第６の開閉弁Ｖ６とが閉止された作動状態である。
蓄熱槽１０には、図示しない温水回路（燃料電池等の発熱手段と貯湯槽とを連通する図示しない回路）より温水が供給されている。或いは、図示しない回路（例えば水道配管）により、蓄熱槽１０へ上水が供給されて常時蓄熱槽内の温水量が所定レベルを保持するよう作動している。
【００３０】
蓄熱槽１０の端部１０ａから吐出された温水は、蓄熱槽１０内の水頭（ヘッド）によってラインＬ１０、第１の分岐点Ｂ１、ラインＬ１２、第１の開閉弁Ｖ１、ラインＬ１２Ａを経由し、合流点Ｇ１で後記の暖房用回流と合流して補助熱源装置２０で加熱され昇温し、第３の分岐点Ｂ３で分岐して、その一方はラインＬ１５により第４の開閉弁Ｖ４、ラインＬ１７を経由して給湯装置１２に向かう。
【００３１】
第３の分岐点Ｂ３で分岐した温水の他方はラインＬ１６によって、第５の開閉弁Ｖ５を経由し、熱交換器１６で暖房装置１４の熱媒Ｗｗに授熱し、ポンプ１８、分岐点Ｂ４、第７の開閉弁Ｖ７及び逆止弁Ｖ８を経由して合流点Ｇ１に戻る。
【００３２】
上記の温水径路により給湯装置１２で必要とする温水の温度と量が保証され、熱交換器１６で授熱する熱量が保証される。そして、熱交換器１６で授熱した温水は蓄熱槽１０をバイパスして補助熱源装置２０に回流するので、暖房用温水には補助熱源装置２０では授熱量だけの熱量補完だけでよい。従って大量の蓄熱槽１０内の温水で冷却される熱損失がない。また、蓄熱槽１０を冷却系の排熱装置の１部として使用する発熱手段に対しては、蓄熱槽１０内の温水温度を昇温させることをさけるようにもなっている。
【００３３】
図６は、補助熱源装置２０を使用しないで蓄熱槽１０内の温水をそのまま給湯及び暖房に使用する場合の作用を示している。
図４も参照して、図６は、第１の開閉弁Ｖ１と第４の開閉弁Ｖ４と第５の開閉弁Ｖ５と第７の開閉弁Ｖ７が閉止された場合の作動状態である。
蓄熱槽１０の端部１０ａから吐出された温水は、蓄熱槽１０内の水頭（ヘッド）によってラインＬ１０、第１の分岐点Ｂ１、ラインＬ１１を経て第２の分岐点Ｂ２で分岐する。その一方は、第２の開閉弁Ｖ２、ラインＬ１３、第２の合流点Ｇ２、ラインＬ１７を経て給湯装置１２に向かう。
【００３４】
第２の分岐点Ｂ２で分岐した温水の他方は、ラインＬ１４、第３の開閉弁Ｖ３、第３の合流点Ｇ３、ライン１８を経て熱交換器１６で暖房装置１４用の熱媒Ｗｗに授熱する。授熱後の温水は、ポンプ１８、第４の分岐点Ｂ４、第６の開閉弁Ｖ６を経て蓄熱槽１０の端部１０ｂに戻る。
【００３５】
このように、蓄熱槽１０内の温水温度が給湯及び暖房に必要な温度を満たしていれば、補助熱源装置２０を休止させて加熱熱量を省くことができる。
【００３６】
図７は、暖房にのみ補助熱源装置２０を使用して、給湯には蓄熱槽１０内の温水をそのまま使用する場合の作用を示している。
図４も参照して、図７は、第１の開閉弁Ｖ１と第４の開閉弁Ｖ４と第３の開閉弁Ｖ３と第６の開閉弁Ｖ６が閉止された場合の作動状態である。
蓄熱槽１０の端部１０ａから吐出された温水は、蓄熱槽１０内の水頭（ヘッド）によってラインＬ１０、第１の分岐点Ｂ１、ラインＬ１１、第２の分岐点Ｂ２、第２の開閉弁Ｖ２、第２の合流点Ｇ２を経てラインＬ１７によって給湯装置１２に向かう。
【００３７】
一方、暖房用温水は、蓄熱槽１０と関係なく補助熱源装置２０の熱量のみで下記のように授熱する。
補助熱源装置２０で加熱され昇温した回流温水は、第３の分岐点Ｂ３、ラインＬ１６、第５の開閉弁Ｖ５、第３の合流点Ｇ３、ライン１８を経て熱交換器１６で暖房装置１４用の熱媒Ｗｗに授熱する。授熱後の温水は、ポンプ１８、第４の分岐点Ｂ４、ラインＬ２０、第７の開閉弁Ｖ７、逆止弁Ｖ８、合流点Ｇ１を経て補助熱源装置２０に戻る。
【００３８】
このように、蓄熱槽１０内の温水温度が給湯に必要な温度を満たしていれば、補助熱源装置２０をバイパスさせ、暖房用温度に高温が必要な場合は補助熱源装置２０を使用して加熱熱量を限定的に供給することで、熱量の無駄を省くことができる。
【００３９】
図８は、給湯にのみ補助熱源装置２０を使用して、暖房には蓄熱槽１０内の温水をそのまま使用する場合の作用を示している。
図４も参照して、図８は、第２の開閉弁Ｖ２と第５の開閉弁Ｖ５と第７の開閉弁Ｖ７が閉止された場合の作動状態である。
【００４０】
蓄熱槽１０の端部１０ａから吐出された温水は、蓄熱槽１０内の水頭（ヘッド）によりラインＬ１０によって第１の分岐点Ｂ１に到り、ラインＬ１１とラインＬ１２に分岐する。
ラインＬ１１に分岐した温水は暖房用となって第２の分岐点Ｂ２、ラインＬ１４、第３の開閉弁分Ｖ３、第３の合流点Ｇ３、ライン１８を経て熱交換器１６で暖房装置１４用の熱媒Ｗｗに授熱する。授熱後の温水は、ポンプ１８、第４の分岐点Ｂ４、第６の開閉弁Ｖ６を経て蓄熱槽１０に戻る。
【００４１】
一方、第１の分岐点Ｂ１でラインＬ１２に分岐した給湯用温水は、第１の開閉弁Ｖ１、第１の合流点Ｇ１を経て補助熱源装置２０で加熱され昇温して第３の分岐点Ｂ３、第４の開閉弁Ｖ４、第２の合流点Ｇ２、ラインＬ１７を経て給湯装置１２に向かう。
【００４２】
このように、蓄熱槽１０内の温水温度が暖房に必要な温度を満たしていれば、補助熱源装置２０をバイパスさせ、給湯用温度に高温が必要な場合は補助熱源装置２０を使用して加熱熱量を限定的に供給することで、熱量の無駄を省くことができる。
【００４３】
図９は、給湯に補助熱源装置２０を使用して高温水を供給する一方、暖房への熱量授受が不要な場合の作用を示している。
図４も参照して、図９は、第２の開閉弁Ｖ２と第３の開閉弁Ｖ３と第５の開閉弁Ｖ５と第６の開閉弁Ｖ６と第７の開閉弁Ｖ７が閉止された場合の作動状態である。
【００４４】
蓄熱槽１０の端部１０ａから吐出された温水は、蓄熱槽１０内の水頭（ヘッド）によってラインＬ１０で第１の分岐点Ｂ１、ラインＬ１２Ａ、第１の合流点Ｇ１を経て補助熱源装置２０で加熱され昇温して第３の分岐点Ｂ３、第４の開閉弁Ｖ４、第２の合流点Ｇ２、ラインＬ１７を経て給湯装置１２に向かう。
暖房用の径路は、すべて閉止される。
【００４５】
このように、暖房用熱量の授受が不要な場合には暖房用の温水回路を閉止して温水移動による無駄な放熱と回流動力を省き、蓄熱槽１０内の温水温度が給湯に必要な温度を満たしていない場合のみ補助熱源装置２０を使用して加熱熱量を限定的に付与しポンプ１８を停止させて、熱量、電気等の無駄を省くことができる。
【００４６】
図１０は、給湯に蓄熱槽１０内の温水をそのまま供給するのみで、暖房への熱量授受が不要な場合の作用を示している。
図４も参照して、図１０は、第１の開閉弁Ｖ１と第３の開閉弁Ｖ３と第４の開閉弁Ｖ４と第５の開閉弁Ｖ５と第６の開閉弁Ｖ６と第７の開閉弁Ｖ７が閉止された場合の作動状態である。
【００４７】
蓄熱槽１０の端部１０ａから吐出された温水は、蓄熱槽１０内の水頭（ヘッド）によってラインＬ１０で第１の分岐点Ｂ１、ラインＬ１１、第２の分岐点Ｂ２、ラインＬ１３、第２の合流点Ｇ２、ラインＬ１７を経て給湯装置１２に向かう。
暖房用の径路は、すべて閉止される。
【００４８】
このように、暖房用熱量の授受が不要な場合には暖房用の温水回路を閉止して温水移動による無駄な放熱と回流動力を省き、蓄熱槽１０内の温水温度が給湯に必要な温度を満たしている場合には補助熱源装置２０を使用せず、ポンプ１８を停止させて熱量、電気等の無駄を省くことができる。
図１１は、暖房にのみ補助熱源装置２０を使用して、給湯には温水を供給しない場合の作用を示している。
図４も参照して、図１１は、第１の開閉弁Ｖ１と、第２の開閉弁Ｖ２と第３の開閉弁Ｖ３と第４の開閉弁Ｖ４と第６の開閉弁Ｖ６が閉止された場合の作動状態である。
【００４９】
暖房用温水は、蓄熱槽１０と関係なく補助熱源装置２０の熱量のみで下記のように授熱する。
補助熱源装置２０で加熱され昇温した回流温水は、第３の分岐点Ｂ３、ラインＬ１６、第５の開閉弁Ｖ５、第３の合流点Ｇ３、ライン１８を経て熱交換器１６で暖房装置１４用の熱媒Ｗｗに授熱する。授熱後の温水は、ポンプ１８、第４の分岐点Ｂ４、ラインＬ２０、第７の開閉弁Ｖ７、逆止弁Ｖ８、合流点Ｇ１を経て補助熱源装置２０に戻る。
【００５０】
このように、暖房用熱媒に蓄熱槽１０内の水温以上の高温熱量が必要な場合は補助熱源装置２０を使用して加熱熱量を限定的に供給することで、熱量の無駄を省くことができる。
【００５１】
図１２は、蓄熱槽１０内の温水温度で暖房用熱媒Ｗｗを加熱できる場合で、補助熱源装置２０を使用しないで蓄熱槽１０内の温水をそのまま暖房に使用し、給湯が不要の場合を示している。
図４も参照して、図１２は、第１の開閉弁Ｖ１と第２の開閉弁Ｖ２と第４の開閉弁Ｖ４と第５の開閉弁Ｖ５と第７の開閉弁Ｖ７が閉止された場合の作動状態である。
【００５２】
蓄熱槽１０の端部１０ａから吐出された温水は、蓄熱槽１０内の水頭（ヘッド）によってラインＬ１０、第１の分岐点Ｂ１、ラインＬ１１を経て第２の分岐点Ｂ２に到る。ここからラインＬ１４、第３の開閉弁Ｖ３、第３の合流点Ｇ３、ライン１８を経て熱交換器１６で暖房装置１４用の熱媒Ｗｗに授熱する。授熱後の温水は、ポンプ１８、第４の分岐点Ｂ４、第６の開閉弁Ｖ６を経て蓄熱槽１０の端部１０ｂに戻る。
【００５３】
このように、蓄熱槽１０内の温水温度が暖房に必要な温度であれば、補助熱源装置２０を休止させて加熱熱量を省くことができる。
【００５４】
図１３は、図４における全ての開閉弁Ｖ１〜Ｖ７を自動化した構成図を示している。図４に付加する装置を主体にして、制御にかかわる構成を説明する。なお、第１〜第７の開閉弁Ｖ１〜Ｖ７を自動化させた自動開閉弁は、符号にＡをつけて例えば第１の開閉弁Ｖ１を第１の自動開閉弁ＡＶ１のように置換して表す。
【００５５】
図１３において、蓄熱槽１０の吐出側端部１０ａ近傍に温水温度検知用の温度センサＴ１が装着され制御装置４０に信号線３１で連通されている。また、給湯用ラインＬ１７に給湯温度を検出する温度センサＴ２が装着され、熱交換器１６の熱媒入り口１５ｉに通じるラインＬｈに熱媒Ｗｗの温度を検知する温度センサＴ３が装着されて、それぞれ信号線３２、３３で運転モード入力手段３０に連通されている。
【００５６】
前記した第１の自動開閉弁ＡＶ１と制御装置４０とは制御線４１で連通され、第２の自動開閉弁ＡＶ２と制御装置４０とは制御線４２で連通され、同要領で自動開閉弁ＡＶ３〜ＡＶ７はそれぞれ制御線４３〜４７で制御装置４０に連通されている。
【００５７】
運転モード入力手段３０は、温度センサＴ２、Ｔ３の検知温度を受信して図１３で構成される温水供給装置の機能をどのように使用するかを前記図５〜図１２の運転モードの中から選択し、制御装置４０に送信指示する機能を有して構成されている。または、オペレータからの手入力による図５〜図１２の中の１つを制御装置４０に送信指示する機能を有して構成されている。
【００５８】
制御装置４０は、信号線３４を介して運転モード入力手段３０の信号を受信して、温度センサＴ１からの蓄熱槽１０の温水温度を勘案し、予め入力してある制御手順、データマップ、データ諸表を参照して、第１〜第７の自動開閉弁Ｖ１〜Ｖ７を開閉操作して所定の運転モードに制御する機能を有して構成されている。
【００５９】
図１３の作用を、図１４に示すフローチャートによって説明する。
先ず、運転モード入力手段３０により、暖房運転を行うか、給湯を行うか、暖房運転及び給湯を同時に行うかを決定し、その決定結果を制御装置４０に読みこませる（ステップＳ１）。
次に、ステップＳ２において、制御装置４０が温度センサＴ１からの蓄熱槽１０の温水温度Ｔ１を読みこむ。
ステップＳ１の決定結果（暖房運転を行うか、給湯を行うか、或いは、暖房運転及び給湯を同時に行うか）と、蓄熱槽１の温水温度Ｔ１に基づいて、制御装置４０は、補助熱源２０を使用する必要があるか否かを判断することが出来る。そして、その時点においては、図５〜図１２中のどの運転モードが適正であるかを決定することが出来る。
制御装置４０の係る決定に従って、ステップＳ３では、決定された運転モード（図５〜図１２中の１つの運転モード）に従って、第１〜第７の自動開閉弁Ｖ１〜Ｖ７の開閉を決定する。
ステップＳ４では、ステップＳ３で決定した各自動開閉弁の制御信号を制御装置４０を出力して自動制御弁の開閉をさせる。
【００６０】
図示の実施形態はあくまでも例示であり、本発明の技術的範囲を限定する趣旨の記述ではない旨を付記する。
【００６１】
【発明の効果】
本発明の作用効果を、以下に列記する。
（１）  補助熱源手段を１基のみの設置で、給湯用機器及び暖房用等の熱的負荷を充足できる。
（２）  蓄熱槽内の温水が温度、水量で不充分であっても、給湯用機器及び暖房用等の熱的負荷を充足できる。
（３）  給湯用機器及び暖房用等の熱的負荷での温水利用条件によって、補助熱源手段の使用、不使用を含めて有効に使用できるので、無駄な熱量の使用が避けられる。
（４）  補助熱源手段を１基にしたので、補助熱源手段の設置スペース、設置コスト、保全コストが低減される。
【図面の簡単な説明】
【図１】本発明の第１実施形態を示すブロック図。
【図２】本発明の第２実施形態を示すブロック図。
【図３】本発明の第３実施形態を示すブロック図。
【図４】本発明の第４実施形態を示すブロック図。
【図５】図４において、補助熱源装置を利用して給湯及び暖房給熱を行う状態を示す作動図。
【図６】図４において、補助熱源装置を利用せずに給湯及び暖房給熱を行う状態を示す作動図。
【図７】図４において、補助熱源装置を暖房のみに利用して、給湯には利用しない状態を示す作動図。
【図８】図４において、補助熱源装置を給湯のみに利用して、暖房には利用しない状態を示す作動図。
【図９】図４において、補助熱源装置を給湯のみに利用して、暖房回路を閉じて暖房不作動の状態を示す作動図。
【図１０】図４において、補助熱源装置を利用しないで、給湯のみ行う状態を示す作動図。
【図１１】図４において、補助熱源装置を暖房のみに利用して、給湯不作動の状態を示す作動図。
【図１２】図４において、補助熱源装置を利用せずに暖房のみ行い、給湯不作動の状態を示す作動図。
【図１３】図４における開閉弁を自動制御するよう構成した配管構成図。
【図１４】図１３の構成を自動運転させる作動フローチャート。
【図１５】外部から供給される熱量を蓄熱槽に蓄え、給湯及び暖房用等に利用する従来の温水供給装置を示す構成図。
【符号の説明】
１０・・・蓄熱槽
１２・・・給湯用機器
１４・・・（暖房用等の）熱的負荷
１６・・・熱的負荷用熱交換器
１８・・・温水循環手段（ポンプ）
２０・・・補助熱源手段（補助熱源装置）
Ｂ１、Ｂ２、Ｂ３、Ｂ４・・・第１〜第４の分岐点
Ｖ１、Ｖ２、Ｖ３、Ｖ４、Ｖ５、Ｖ６、Ｖ７・・・第１〜第７の開閉弁
Ｖ８・・・逆止弁
Ｌ１０〜Ｌ２０・・・（配管）ライン
Ｌｈ・・・（暖房用等の）熱媒ライン
【図１】
0003750922.tif 000002
【図２】
0003750922.tif 000003
【図３】
0003750922.tif 000004
【図４】
0003750922.tif 000005
【図５】
0003750922.tif 000006
【図６】
0003750922.tif 000007
【図７】
0003750922.tif 000008
【図８】
0003750922.tif 000009
【図９】
0003750922.tif 000010
【図１０】
0003750922.tif 000011
【図１１】
0003750922.tif 000012
【図１２】
0003750922.tif 000013
【図１３】
0003750922.tif 000014
【図１４】
0003750922.tif 000015
【図１５】
0003750922.tif 000016